(57)【要約】【課題】重ね着する衣料において、高い保温性と作業活動性とを兼ね備え、優れた防寒性能と運動機能性とを有する比較的安価な機動性被服を多数の利用者に向けて提供する。【解決手段】肌着、内衣、中衣及び外衣を含む機動性被服であって、肌着は生地の伸び率εｍが２５％以上であり、内衣は生地の伸び率εｍが１４％以上であり、中衣は生地の伸び率εｍが９％以上であり、外衣は生地の伸び率εｍが１％以上であり、肌着、内衣、中衣及び外衣の順に生地の伸び率εｍが小さくなっている。さらに内衣は胸廻り寸法が肌着の胸廻り寸法に３ｃｍ以上２５ｃｍ以下だけ加算した寸法であり、中衣は胸廻り寸法が肌着の胸廻り寸法に７ｃｍ以上３１ｃｍ以下だけ加算した寸法であり、外衣は胸廻り寸法が肌着の胸廻り寸法に１３ｃｍ以上５１ｃｍ以下だけ加算した寸法であることが好ましい。【選択図】図６
2014031598.tif 000002
【特許請求の範囲】
【請求項１】
肌着、内衣、中衣及び外衣を含む機動性被服であって、
前記肌着は、
生地の伸び率εｍが２５％以上であり、
前記内衣は、
生地の伸び率εｍが１４％以上であり、
前記中衣は、
生地の伸び率εｍが９％以上であり、
前記外衣は、
生地の伸び率εｍが１％以上であり、
前記肌着、前記内衣、前記中衣及び前記外衣の順に、生地の伸び率εｍが小さくなっていることを特徴とする機動性被服。
【請求項２】
前記内衣は、
胸廻り寸法が、前記肌着の胸廻り寸法に３ｃｍ以上２５ｃｍ以下だけ加算した寸法であり、
前記中衣は、
胸廻り寸法が、前記肌着の胸廻り寸法に７ｃｍ以上３１ｃｍ以下だけ加算した寸法であり、
前記外衣は、
胸廻り寸法が、前記肌着の胸廻り寸法に１３ｃｍ以上５１ｃｍ以下だけ加算した寸法である
請求項１に記載の機動性被服。
【請求項３】
前記内衣は、
腰廻り寸法が、前記肌着の腰廻り寸法に２ｃｍ以上２６ｃｍ以下だけ加算した寸法であり、
前記中衣は、
腰廻り寸法が、前記肌着の腰廻り寸法に４ｃｍ以上２８ｃｍ以下だけ加算した寸法であり、
前記外衣は、
腰廻り寸法が、前記肌着の腰廻り寸法に２２ｃｍ以上４８ｃｍ以下だけ加算した寸法である
請求項１に記載の機動性被服。
【請求項４】
前記肌着は、
曲げ剛さＢが、０以上０．０４（ｇｆｃｍ２／ｃｍ）以下であり、
前記内衣は、
曲げ剛さＢが、０．１（ｇｆｃｍ２／ｃｍ）以上０．４（ｇｆｃｍ２／ｃｍ）以下であり、
前記中衣は、
曲げ剛さＢが、０．２（ｇｆｃｍ２／ｃｍ）以上０．９（ｇｆｃｍ２／ｃｍ）以下であり、
前記外衣は、
曲げ剛さＢが、０．５（ｇｆｃｍ２／ｃｍ）以上１．３（ｇｆｃｍ２／ｃｍ）以下であり、
前記肌着、前記内衣、前記中衣及び前記外衣の順に、曲げ剛さＢが大きくなっている請求項１〜３のいずれか１項に記載の機動性被服。
【請求項５】
前記肌着及び前記内衣は、
ＩＳＯ１１０９２において規定された布の熱の通し難さを表す熱抵抗値が、０．０４（ｍ２・Ｋ／Ｗ）以上０．０５（ｍ２・Ｋ／Ｗ）以下であり、ＩＳＯ１１０９２において規定された水分の透過し易さを示す蒸発抵抗値が、４（ｍ２・Ｋ／Ｗ）以上４．５（ｍ２・Ｋ／Ｗ）以下であり、
前記中衣及び前記外衣は、
前記熱抵抗値が、０．１７（ｍ２・Ｋ／Ｗ）以上であり、
該機動性被服は、さらに、
前記外衣の内側に取り付ける保温性ライナーを含み、
前記保温性ライナーは、
前記熱抵抗値が、０．１９（ｍ２・Ｋ／Ｗ）以上であり、
前記外衣に前記保温性ライナーを取り付けた状態及び前記中衣の前記蒸発抵抗値が、１３（ｍ２・Ｋ／Ｗ）以下である請求項１〜４のいずれか１項に記載の機動性被服。
【請求項６】
前記外衣は、
ＩＳＯ１１０９２において規定された布の熱の通し難さを表す熱抵抗値が０．１９（ｍ２・Ｋ／Ｗ）以上であり、ＩＳＯ１１０９２において規定された水分の透過し易さを示す蒸発抵抗値が１３（ｍ２・Ｋ／Ｗ）以下であり、生地のＬＯＩ値が２６以上の難燃性を有し、生地の伸縮性εｍが１％以上であり、曲げ剛さＢが０．５（ｇｆｃｍ２／ｃｍ）以上１．３（ｇｆｃｍ２／ｃｍ）以下であり、耐水度が１００ｋＰａ以上である表面が撥水加工された透湿防水加工布帛を、少なくとも表地として使用した複合布帛である請求項１〜５のいずれか１項に記載の機動性被服。
【発明の詳細な説明】
【技術分野】
【０００１】
本発明は肌着、内衣、中衣及び外衣の重ね着する４層の衣料の組合せからなる機動性被服に関し、特に、優れた保温性と作業活動性とを兼ね備えるための技術に関する。
【背景技術】
【０００２】
防寒のための着衣は、肌着の上にセーター等の内衣を何枚か重ね着し、さらに防寒用外衣を着用するのが一般的である。このように防寒のために重ね着をする場合においては、重ね着した衣料の間に空気層を持たせることにより保温性を高めている。よって、各層の衣料を厚くして各層毎に大きな空間を持たせると層間の熱移動が少なくなるため断熱性が高まり、高い保温性を得ることができる。
【０００３】
肌着、下着、中衣及び防寒用外衣として特定のものを選び、これらの組合せることにより、汗等の水分をスムーズに外部へ発散し、発汗による不快感や悪感をなくし、着心地性を改善するとともに体温の低下を抑え保温性及び防寒性を発揮する防寒被服セットが特許文献１に開示されている。
【０００４】
布地の評価方法については非特許文献１に記載がある。
【先行技術文献】
【特許文献】
【０００５】
【特許文献１】特開平４−１８１０３号公報
【非特許文献】
【０００６】
【非特許文献１】２１世紀のテキスタイル科学（改訂版）、２００３年３月１日改訂版発行、（社）日本繊維機械学会、松平光男ほか、ｐ．９０〜１０３、「４．１．２  布の初期力学特性」、「４．１．３  風合いの標準化と主観評価」、「４．１．４  風合いの客観評価表」、「４．１．５  風合いの客観評価表の応用」
【発明の概要】
【発明が解決しようとする課題】
【０００７】
しかしながら、各層の衣料を厚くすると、高い保温性が得られ防寒性能が向上するが、一方では着ぶくれするために着用者の動きが妨げられ、作業活動性が悪くなるという問題がある。
【０００８】
運動機能性は基本的に、着用する人体のヌード寸法に対して、衣服の寸法等をどの程度余裕を持たせて設計するかにより決まる部分が多い。
【０００９】
例えば一人一人のヌード寸法に合わせて衣服をオーダーメイドにて設計すれば、比較的容易に高い運動機能性を持つ衣服を提供することができるものと思われるが、オーダーメイドでは一着毎に手間がかかり極めて高価なものとなるため、多数の利用者に適切な価格で大量に衣服を提供することは難かしい。
【００１０】
一方、所定のサイズ規格に基づいてサイズ別に衣服をレディーメイドにて設計すれば、多数の利用者に比較的安価で大量に衣服を提供することができるが、高い運動機能性を発揮することは難しくなる。
【００１１】
例えばＪＩＳ  Ｌ−４００４：２００１（成人男子用衣料のサイズ）などの衣料品サイズ規格は良く知られている。この衣料品サイズ規格は成人男子ではＪ、ＪＹ、Ｙ、ＹＡ、Ａ、ＡＢ、Ｂ、ＢＢ、ＢＥ、Ｅ体型等に分類され、各々の体型毎にさらに詳細区分されており、例えばＡ体型だけでもチェスト、ウエスト、身長別に分類すると２２区分に分かれる。
【００１２】
上記従来の衣料品サイズ規格は、重ね着する衣服の各サイズを規定するものではなく、さらに、区分が煩雑すぎて全ての体型の衣服を提供するような場合には適していない。
【００１３】
本発明は以上のような従来の課題を考慮してなされたものであり、重ね着する衣料において、高い保温性と作業活動性とを兼ね備え、優れた防寒性能と運動機能性とを有する比較的安価な機動性被服を多数の利用者に向けて提供することを目的とする。
【課題を解決するための手段】
【００１４】
本発明は、肌着、内衣、中衣及び外衣を含む機動性被服であって、前記肌着は生地の伸び率εｍが２５％以上であり、前記内衣は生地の伸び率εｍが１４％以上であり、前記中衣は生地の伸び率εｍが９％以上であり、前記外衣は生地の伸び率εｍが１％以上であり、前記肌着、前記内衣、前記中衣及び前記外衣の順に生地の伸び率εｍが小さくなっている。
【００１５】
また本発明の機動性被服において、前記内衣は、胸廻り寸法が、前記肌着の胸廻り寸法に３ｃｍ以上２５ｃｍ以下だけ加算した寸法であり、前記中衣は、胸廻り寸法が、前記肌着の胸廻り寸法に７ｃｍ以上３１ｃｍ以下だけ加算した寸法であり、前記外衣は、胸廻り寸法が、前記肌着の胸廻り寸法に１３ｃｍ以上５１ｃｍ以下だけ加算した寸法であることが好ましい。
【００１６】
また本発明の機動性被服において、前記内衣は、腰廻り寸法が、前記肌着の腰廻り寸法に２ｃｍ以上２６ｃｍ以下だけ加算した寸法であり、前記中衣は、腰廻り寸法が、前記肌着の腰廻り寸法に４ｃｍ以上２８ｃｍ以下だけ加算した寸法であり、前記外衣は、腰廻り寸法が、前記肌着の腰廻り寸法に２２ｃｍ以上４８ｃｍ以下だけ加算した寸法であることが好ましい。
【００１７】
また本発明の機動性被服において、前記肌着は曲げ剛さＢが０以上０．０４（ｇｆｃｍ２／ｃｍ）以下であり、前記内衣は曲げ剛さＢが０．１（ｇｆｃｍ２／ｃｍ）以上０．４（ｇｆｃｍ２／ｃｍ）以下であり、前記中衣は曲げ剛さＢが、０．２（ｇｆｃｍ２／ｃｍ）以上０．９（ｇｆｃｍ２／ｃｍ）以下であり、前記外衣は曲げ剛さＢが０．５（ｇｆｃｍ２／ｃｍ）以上１．３（ｇｆｃｍ２／ｃｍ）以下であり、前記肌着、前記内衣、前記中衣及び前記外衣の順に曲げ剛さＢが大きくなっていることが好ましい。
【００１８】
また本発明の機動性被服において、前記肌着及び前記内衣はＩＳＯ１１０９２において規定された布の熱の通し難さを表す熱抵抗値が０．０４（ｍ２・Ｋ／Ｗ）以上０．０５（ｍ２・Ｋ／Ｗ）以下であり、ＩＳＯ１１０９２において規定された水分の透過し易さを示す蒸発抵抗値が４（ｍ２・Ｋ／Ｗ）以上４．５（ｍ２・Ｋ／Ｗ）以下であり、前記中衣及び前記外衣は前記熱抵抗値が、０．１７（ｍ２・Ｋ／Ｗ）以上であり、該機動性被服は、さらに、前記外衣の内側に取り付ける保温性ライナーを含み、前記保温性ライナーは、前記熱抵抗値が０．１９（ｍ２・Ｋ／Ｗ）以上であり、前記外衣に前記保温性ライナーを取り付けた状態及び前記中衣の前記蒸発抵抗値が１３（ｍ２・Ｋ／Ｗ）以下であることが好ましい。
【００１９】
また本発明の機動性被服において、前記外衣は、ＩＳＯ１１０９２において規定された布の熱の通し難さを表す熱抵抗値が０．１９（ｍ２・Ｋ／Ｗ）以上であり、ＩＳＯ１１０９２において規定された水分の透過し易さを示す蒸発抵抗値が１３（ｍ２・Ｋ／Ｗ）以下であり、生地のＬＯＩ値が２６以上の難燃性を有し、生地の伸縮性εｍが１％以上であり、曲げ剛さＢが０．５（ｇｆｃｍ２／ｃｍ）以上１．３（ｇｆｃｍ２／ｃｍ）以下であり、耐水度が１００ｋＰａ以上である表面が撥水加工された透湿防水加工布帛を、少なくとも表地として使用した複合布帛である請求項１〜５のいずれか１項に記載の機動性被服。
【発明の効果】
【００２０】
本発明に係る機動性被服は、人体皮膚に近い肌着の生地の伸び性を大きくし且つ生地の剛性を小さくして身体の動く抵抗力を最小にするように設計して運動機能性を高め、皮膚層より遠くなる外層ほど生地の伸縮性を下げ剛性を内層より同等或いはそれ以上としてゆとり量を高めて空気層を保存して防寒性能及び保温性能を高めるので、防寒性能及び保温性能と、これらの性能とトレードオフの関係にあると思われる運動機能性とを併持させることができる。よって、重ね着する衣料において、高い保温性と作業活動性とを兼ね備え、優れた防寒性能と運動機能性とを有する比較的安価な機動性被服を多数の利用者に向けて提供することができる。
【図面の簡単な説明】
【００２１】
【図１】１３区分した身長と胸囲との関係を示す相関図である。
【図２】１３区分した身長とウエストとの関係を示す相関図である。
【図３】肌着の外観図である。
【図４】内衣の外観図である。
【図５】中衣の外観図である。
【図６】外衣の外観図である。
【図７】保温性ライナーの外観図である。
【発明を実施するための形態】
【００２２】
＜実施形態１＞
本発明者らは、重ね着する４層の衣服（肌着、内衣、中衣、外衣）を統一的にカバーするサイズ規格について検討することにした。
【００２３】
１８才以上６５才までの１万人以上の成人男子の人体ヌード寸法データから、衣料品サイズを、細身のＡ体、太身のＢ体、太Ｌ体、肥満ＬＬ体に区分し、身長、胸囲、ウエストの関係を調べた。
【００２４】
結果を体型毎に注目すると、細身Ａ体、太身のＢ体、太Ｌ体及び肥満ＬＬ体にそれぞれの身長と胸囲との間、及び身長とウエストとの間に強い相関関係があることが見い出された。
【００２５】
身長と胸囲との関係については、細身Ａ体と見られるグループは、身長をＸ（ｃｍ）とすると胸囲Ｃ（ｃｍ）は以下の（式１）に示す範囲に入っていた。
Ｃ＝０．２２・Ｘ＋４０〜Ｃ＝０．２２・Ｘ＋５３  ・・・（式１）
ここで、１５０≦Ｘ≦１９０
【００２６】
太身のＢ体と見られるグループは身長をＸ（ｃｍ）とすると、胸囲Ｃ（ｃｍ）は以下の（式２）に示す範囲に入っていた。
Ｃ＝０．２１・Ｘ＋５６〜Ｃ＝０．２１・Ｘ＋６６  ・・・（式２）
ここで、１５０≦Ｘ≦１９０
【００２７】
太Ｌ体及び肥満ＬＬ体と見られる各グループは、データ数が少し不足するため相関式を算出するまでには至らなかったが、細身Ａ体及び太身のＢ体と同様の傾向であった。
【００２８】
身長とウエストとの関係については、細身Ａ体と見られるグループは身長をＸ（ｃｍ）とすると、ウエストＷ（ｃｍ）は以下の（式３）に示す範囲に入っていた。
Ｗ＝０．２・Ｘ＋２７〜Ｗ＝０．２・Ｘ＋３９  ・・・（式３）
ここで、１５０≦Ｘ≦１９０
【００２９】
太身のＢ体と見られるグループは身長をＸ（ｃｍ）とすると、ウエストＷ（ｃｍ）は以下の（式４）に示す範囲に入っていた。
Ｗ＝０．２・Ｘ＋４０〜Ｗ＝０．０７・Ｘ＋７８  ・・・（式４）
ここで、１５０≦Ｘ≦１９０
【００３０】
太Ｌ体及び肥満ＬＬ体のウエストも、Ｘ＝０時のＷの初期値は異なるが、細身Ａ体及び太身のＢ体と同様の傾向であった。
【００３１】
このような胸囲とウエストを身長区分と共に分割整理できることは、実用的な機動性を確保するための設計基準としてゆとり量の設計に大変重要な数値となる。
【００３２】
一方体型区分毎に人体サイズの平均値のみを使用して衣服を作製するだけでは、ゆとり量の不具合が生じ、十分な運動機能性を確保することができない事態が生じる可能性が高いので、体型区分以外に、さらに運動機能性を確保するために、本発明者らは、各層の衣服材料の物性を設計条件の因子に組み入れることを試みた。
【００３３】
詳細には、人体皮膚に近い衣服層から人体皮膚より遠くなり外層に近づくにともない、順次衣服層の生地の物性を序々に変化させる。より具体的には、人体皮膚に近い肌着の生地の伸び性を大きくし且つ生地の剛性を小さくして身体の動く抵抗力を最小にするように設計して運動機能性を高め、皮膚層より遠くなる外層ほど生地の伸縮性を下げ剛性を内層より同等或いはそれ以上としてゆとり量を高めて空気層を保存して防寒性能及び保温性能を高める。よって、防寒性能及び保温性能と、これらの性能とトレードオフの関係にあると思われる運動機能性とを併持させることができる。
【００３４】
上衣（トップス）にとって重要な身長と胸囲の関係については、人体ヌード寸法から身長をＳ（身長１５０ｃｍ以上１６０ｃｍ未満）、Ｍ（身長１６０ｃｍ以上１７０ｃｍ未満）、Ｌ（身長１７０ｃｍ以上１８０ｃｍ未満）、Ｘ（身長１８０ｃｍ以上１９０ｃｍ以下）に区分し、それぞれの身長と胸囲で少なくとも１３区分してそれぞれ各上衣の胸廻り寸法を決定することとした。
【００３５】
図１は、１３区分した身長と胸囲との関係を示す相関図である。
【００３６】
１３区分した身長と胸囲との組合せの具体例は、細身Ａ体では、呼び名称ＳＡが身長１５０ｃｍ以上１６０ｃｍ未満且つ胸囲７６ｃｍ〜８８ｃｍ、呼び名称ＭＡが身長１６０ｃｍ以上１７０ｃｍ未満且つ胸囲７７ｃｍ〜９０ｃｍ、呼び名称ＬＡが身長１７０ｃｍ以上１８０ｃｍ未満且つ胸囲８２ｃｍ〜９４ｃｍ、呼び名称ＸＡが身長１８０ｃｍ以上１９０ｃｍ以下且つ胸囲８２ｃｍ〜９４ｃｍであり、太身のＢ体では呼び名称ＳＢは身長１５０ｃｍ以上１６０ｃｍ未満且つ胸囲８８ｃｍ〜１００ｃｍ、呼び名称ＭＢは身長１６０ｃｍ以上１７０ｃｍ未満且つ胸囲９０ｃｍ〜１０４ｃｍ、呼び名称ＬＢは身長１７０ｃｍ以上１８０ｃｍ未満且つ胸囲９４ｃｍ〜１０６ｃｍ、呼び名称ＸＢは身長１８０ｃｍ以上１９０ｃｍ以下且つ胸囲９４ｃｍ〜１０６ｃｍであり、太Ｌ体では呼び名称ＭＬ５は身長１６０ｃｍ以上１７０ｃｍ未満且つ胸囲１０４ｃｍ〜１１６ｃｍ、呼び名称ＬＬ３は身長１７０ｃｍ以上１８０ｃｍ未満且つ胸囲１０６ｃｍ〜１１６ｃｍ、呼び名称ＸＬ１は身長１８０ｃｍ以上１９０ｃｍ以下且つ胸囲１０６ｃｍ〜１１６ｃｍであり、肥満ＬＬ体では呼び名称ＬＬ４は身長１７０ｃｍ以上１８０ｃｍ未満且つ胸囲１１６ｃｍ〜１２６ｃｍ、呼び名称ＸＬ２は身長１８０ｃｍ以上１９０ｃｍ以下且つ胸囲１１６ｃｍ〜１２６ｃｍである。
【００３７】
下衣（ボトムス）にとって重要な身長とウエストとの関係については、人体ヌード寸法から身長をＳ（身長１５０ｃｍ以上１６０ｃｍ未満）、Ｍ（身長１６０ｃｍ以上１７０ｃｍ未満）、Ｌ（身長１７０ｃｍ以上１８０ｃｍ未満）、Ｘ（身長１８０ｃｍ以上１９０ｃｍ以下）に区分し、それぞれの身長とウエストで少なくとも１３区分してそれぞれ各下衣の腰廻り寸法を決定することとした。
【００３８】
図２は、１３区分した身長とウエストとの関係を示す相関図である。
【００３９】
１３区分した身長とウエストとの組合せの具体例は、細身Ａ体では呼び名称ＳＡは身長１５０ｃｍ以上１６０ｃｍ未満且つウエスト５８ｃｍ〜７１ｃｍ、呼び名称ＭＡは身長１６０ｃｍ以上１７０ｃｍ未満且つウエスト６０ｃｍ〜７３ｃｍ、呼び名称ＬＡは身長１７０ｃｍ以上１８０ｃｍ未満且つウエスト６４ｃｍ〜７７ｃｍ、呼び名称ＸＡは身長１８０ｃｍ以上１９０ｃｍ以下且つウエスト６４ｃｍ〜７７ｃｍであり、太身のＢ体では呼び名称ＳＢは身長１５０ｃｍ以上１６０ｃｍ未満且つウエスト７１ｃｍ〜８８ｃｍ、呼び名称ＭＢは身長１６０ｃｍ以上１７０ｃｍ且つウエスト７３ｃｍ〜９０ｃｍ、呼び名称ＬＢは身長１７０ｃｍ以上１８０ｃｍ未満且つウエスト７７ｃｍ〜９１ｃｍ、呼び名称ＸＢは身長１８０ｃｍ以上１９０ｃｍ以下且つウエスト７７ｃｍ〜９１ｃｍであり、太Ｌ体では呼び名称ＭＬ５は身長１６０ｃｍ以上１７０ｃｍ且つウエスト９０ｃｍ〜１０４ｃｍ、呼び名称ＬＬ３は身長１７０ｃｍ以上１８０ｃｍ未満且つウエスト９１ｃｍ〜１０４ｃｍ、呼び名称ＸＬ１は身長１８０ｃｍ以上１９０ｃｍ以下且つウエスト９１ｃｍ〜１０４ｃｍであり、肥満ＬＬ体では呼び名称ＬＬ４は身長１７０ｃｍ以上１８０ｃｍ未満且つウエスト１０４ｃｍ〜１１４ｃｍ、呼び名称ＸＬ２は身長１８０ｃｍ以上１９０ｃｍ以下且つウエスト１０４ｃｍ〜１１４ｃｍである。
【００４０】
なお、身長、胸囲、ウエストを更に細く区分することも出来る。区分を多くする程製造コストが増大する傾向にあるが、人体との適合不一致は少なくなるので、１３区分以上とすることが望ましい。
【００４１】
次に各層の衣服について説明する。
【００４２】
最内層の肌着は人体皮膚に最も近いため汗の吸収及び発散を良好とし且つ皮膚の動きを阻害しない運動機能性を維持する必要があり、べとつかず吸汗速汗性が高く且つ伸縮性を保有する素材を用いることが望ましく、生地自身の曲げ剛さは４層材料の中で最小である。
【００４３】
最外層の外衣は、肌着とは逆に、降雨雪防御、火炎防御、外部衝撃や摩擦損耗に耐える強靱性を保つために適度な曲げ剛さや或る程度抑制された伸縮性を有する必要があり、人体の運動機能性確保の点で適切なゆとり量の設計縫製が肝要である。
【００４４】
本発明で示す伸縮性や曲げ剛さは、ＫＥＳシステム「（社）日本繊維機械学会発行  ２１世紀のテキスタイル科学（改訂版）２００３年３月改訂版発行  松平光男ほか  ９０〜１０３頁」（非特許文献１）に記載された方法で測定できる。ここで曲げ剛さは曲げ変形カーブの傾きＢから求めた。なお、中衣は生地厚みが過大で曲げ装置の把持部に支障があったので、４５度カンチレバー法「ＪＩＳ  Ｌ１０９６：２０１０  ８．２１  剛軟度  Ａ法（４５°カンチレバー法）に準拠し、スライド法などで示されているカンチレバー長さから曲げモーメントの剛軟度に換算して測定した。また曲げ剛さはタテのＢとヨコのＢの平均値を生地の曲げ剛さＢとした。ＫＥＳシステムにおける伸縮性は最大上限荷重が、織物用（５００ｇｆ／ｃｍ）と編み物用（２５０ｇｆ／ｃｍ）とで異なり、本実施形態の機動性被服は織物と編み物が混在するので、伸縮に敏感な最大上限荷重の低い方の編み物用（２５０ｇｆ／ｃｍ）に統一した。
【００４５】
ＫＥＳシステムの引っ張り特性の最大伸びεｍは、タテ方向の最大伸びとヨコ方向の最大伸びの平均値を、生地の伸びやすさとして求めた。
【００４６】
本発明は４層からなる機動性被服の各層の上衣と下衣は原則同一種材料であり、体型区分を細身のＡ体、太身のＢ体、太Ｌ体及び肥満ＬＬ体に区分し、体型区分に加えて身長を４区分以上に分類して１３区分以上の階層に分けて、各々の人体寸法を基準に胸廻りと腰廻り設定値を用いて設計縫製してなる機動性被服である。
【００４７】
人体の運動機能性確保の点で適切なゆとり量の設計縫製が必要になるため、肌着の上衣は、無理なく皮膚にフィットする動作追随性を重視し、生地のεｍが２５％以上望ましくは３０％以上であり、各区分の人体の胸廻り寸法に５ｃｍ以上２０ｃｍ以内だけ加算した寸法を胸廻り寸法とし、保温性と運動追随性を確保する内衣の上衣は、生地のεｍが１４％以上であり、各区分の人体の胸廻り寸法に８ｃｍ以上３０ｃｍ以内だけ加算した寸法を胸廻り寸法とし、中衣の上衣は、生地のεｍが９％以上であり、各区分の人体の胸廻り寸法に１２ｃｍ以上３６ｃｍ以内だけ加算した寸法を胸廻り寸法とし、外衣の上衣は、生地のεｍが１％以上であり、各区分の人体の胸廻り寸法に１８ｃｍ以上５６ｃｍ以内だけ加算した寸法を胸廻り寸法とした。
【００４８】
ここでは、各区分の人体の胸廻り寸法を基準にして、肌着、内衣、中衣及び外衣の胸廻り寸法を規定したが、肌着、内衣、中衣及び外衣のいずれかの胸廻り寸法を基準に、その他の衣服の胸廻り寸法を相対的に規定することもできる。例えば肌着の胸廻り寸法を基準にして、内衣、中衣及び外衣の胸廻り寸法を規定すると、内衣の腰廻り寸法は肌着の腰廻り寸法に２ｃｍ以上２６ｃｍ以下だけ加算した寸法であり、中衣の腰廻り寸法は肌着の腰廻り寸法に４ｃｍ以上２８ｃｍ以下だけ加算した寸法であり、外衣の腰廻り寸法は前記肌着の腰廻り寸法に２２ｃｍ以上４８ｃｍ以下だけ加算した寸法である。
【００４９】
ここで胸廻り寸法における加算値に幅を持たせたのは、生地の伸縮性数値εｍが変化するためである。εｍが大きいほど加算値は少なくても良く、εｍが小さい程加算数値を大きくとる必要がある。
【００５０】
下衣については上衣と比べ体躯の運動方向が異なるため、ゆとり量が上衣より少なくてよく、肌着の下衣は、その生地のεｍが２５％以上望ましくは３０％以上であり、各区分の人体の腰廻り寸法に−１２ｃｍ以上＋１２ｃｍ以内加算した寸法を腰廻り寸法とし、内衣は、その生地のεｍが１４％以上であり、各区分の人体の腰廻り寸法に−１０ｃｍ以上＋１４ｃｍ以内だけ加算した寸法を腰廻り寸法とし、中衣の下衣は生地のεｍが９％以上であり、各区分の人体の腰廻り寸法に−８ｃｍ以上＋１６ｃｍ以内だけ加算した寸法を腰廻り寸法とし、外衣はその生地のεｍが１％以上であり、各区分の人体の腰廻り寸法に１０ｃｍ以上３６ｃｍ以内だけ加算した寸法を腰廻り寸法とした。
【００５１】
ここでは、各区分の人体の腰廻り寸法を基準にして、肌着、内衣、中衣及び外衣の腰廻り寸法を規定したが、肌着、内衣、中衣及び外衣のいずれかの腰廻り寸法を基準に、その他の衣服の腰廻り寸法を相対的に規定することもできる。例えば肌着の腰廻り寸法を基準にして、内衣、中衣及び外衣の腰廻り寸法を規定すると、内衣の腰廻り寸法は肌着の腰廻り寸法に２ｃｍ以上２６ｃｍ以下だけ加算した寸法であり、中衣の腰廻り寸法は肌着の腰廻り寸法に４ｃｍ以上２８ｃｍ以下だけ加算した寸法であり、外衣の腰廻り寸法は肌着の腰廻り寸法に２２ｃｍ以上４８ｃｍ以下だけ加算した寸法である。
【００５２】
人体皮膚に近い内層側になるほど生地の伸縮性εｍを大きくすると共に、生地の曲げ剛さを少なくするように生地の物性を制御することが有用であることが見い出された。
【００５３】
最内層の肌着は、身体の動きに直接的に作用するので、生地の曲げ剛さが大きいと筋肉疲労につながりやすい。従って、肌着の曲げ剛さＢは０．０４（ｇｆｃｍ２／ｃｍ）以下が望ましい。保温層の内衣は熱絶縁性を維持するために布帛中の空気層を維持する必要があり、適度な曲げ剛性が必要となるため、内衣の生地は肌着より一桁大きい曲げ剛さ（曲げ剛さＢは０．１〜０．４（ｇｆｃｍ２／ｃｍ））が望ましいことが着用評価にて確認された。
【００５４】
保温層の中衣は、生地の曲げ剛さＢが０．２〜０．９（ｇｆｃｍ２／ｃｍ）でないと、背中などの部位で冷え感が生ずるなどの部分的な保温性不足が認められた。
【００５５】
外衣は火炎防御、外部衝撃、摩擦損耗に耐える強靱性を保つために適度な曲げ剛さや或る程度抑制された伸縮性を備える必要があり、衣服間の保温空気層を確保するためには外衣の曲げ剛さＢが０．５〜１．３（ｇｆｃｍ２／ｃｍ）である必要がある。
【００５６】
外衣の曲げ剛さＢは、通常の秋冬用スーツ地の３〜５倍の大きさであるため、胸廻り寸法や腰廻り寸法の詳細な最適化が極めて重要になる。
【００５７】
一方、各衣服間の空気層の維持と併せて、各生地自身の熱抵抗を高いレベルにすることが防寒のためには当然有効である。
【００５８】
熱の通し難さを表す熱抵抗値（Thermal  Resistance）はＩＳＯ１１０９２に規定する方法で測定し、（不感蒸泄水分）で表示する。ここで熱抵抗値の数値が大きいほど熱移動し難く保温性に優れることを表す。
【００５９】
肌着の生地の熱抵抗値は０．０４〜０．０５（ｍ２・Ｋ／Ｗ）を保有し、皮膚から蒸散する不感蒸泄水分や発汗水分を移動させることを重視して設計する必要がある。
【００６０】
水分の透過性はＩＳＯ１１０９２で規定する「Hohenstein  Skin  Model」タイプの「発汗機能を有する多孔性金属板と加熱ブロックとにより構成される装置において測定された蒸発抵抗値（ｍ２・Ｋ／Ｗ）を表す。蒸発抵抗値が大きいと水分が移動し難く、小さいと水分が移動し易いことを表す。肌着の生地は４層の衣服の中で一番低い４〜４．５（ｍ２・Ｋ／Ｗ）に設計している。内衣の熱抵抗値及び蒸発抵抗値は、肌着とほぼ同等程度として熱及び水分が移動し易い衣服とする。内衣のすぐ外層に位置する中衣は保温性能及び断熱性能を重視して、熱抵抗値を０．１７（ｍ２・Ｋ／Ｗ）以上に大きくし、さらに外衣の内側に保温性ライナーを付与して熱抵抗値を０．１９（ｍ２・Ｋ／Ｗ）以上とすることで、−１０℃以下の極寒の環境にて作業することが可能となることが着用評価にて確認された。
【００６１】
中衣及び保温性ライナー付き外衣において水分の移動が止まると汗が結露し保温断熱性を阻害するという問題が生じるので、蒸発抵抗値を１３（ｍ２・Ｋ／Ｗ）以下とすることで該問題の発生を防ぐことが出来る。
【００６２】
保温性ライナーは外気温が特に低い時には必要があるが、運動量が多く自己産熱が多い時や外気温がそれほど低くない場合に備えて取り外し可能になっており、保温性ライナーの取り付け方法は既存の防寒衣と同様である。
【００６３】
肌着、内衣、中衣及び外衣の設計は人体体型区分１３階層を決めて、上衣であれば身長と胸囲が決まれば、胸廻り寸法が決まり、それ以外の肩幅、裄丈、袖丈及び着丈は既存のグレディング計算方式に準拠して決定でき、下衣であれば身長とウエストが決まれば、腰廻り寸法が決まり、それ以外のヒップ股上、股下、ワタリ及び膝廻りが決まり、パンツ丈などは既存のグレディング計算方式に準拠して決定できる。
【００６４】
図３は肌着１０の外観図である。図４は内衣２０の外観図である。
【００６５】
図３及び図４に示すように、肌着１０及び内衣２０には脇や袖下及び股下に縫い目の無い機能的な構造１１〜１３、２１〜２３にすると共に、フラットシーマーで縫い目のゴロツキを排除するなど、被服構造の配慮により、制御された生地の伸縮性や柔軟さを活かす工夫を随所で取り入れることで、運動機能性及び体型適応性を向上させている。
【００６６】
さらに、図４に示すように内衣には通気性や防寒性能を調整することができるファスナー２４や、首まで覆うことができる高い襟２５が取り付けられている。
【００６７】
図５は中衣３０の外観図である。
【００６８】
図５に示すように、着脱の機会が比較的多い中衣には着脱の際に便利が良いファスナー３１が取り付けられている。
【００６９】
図６は外衣４０の外観図である。
【００７０】
図７は保温性ライナー４１の外観図である。
【００７１】
図６、７に示すように、外衣４０には取り外し可能な保温性ライナー４１や、防寒フード（図示せず）が組み込まれた衿などを採用し、防寒性能を向上させている。
【００７２】
なお、本発明は図３〜図６に示した機構に限定させるものではなく、図３〜図６に示した機構以外にも、一般の防寒衣に備えられている様々な機構を組み合わせることもできる。
【００７３】
活動性に優れた機動性被服であっても、発汗による肌着の濡れ感やべとつき感、内衣、中衣等の湿潤感あるいは内部のむれ感等の不快感を排除する必要があり、利用する生地素材の選択は重要である。特に運動などにより発汗が多くなった場合には、多くの汗が外部に発散しきれずに肌面に水滴あるいは水膜として存在するようになり、肌着等が濡れてしまうことがある。さらに肌着等が著しく濡れた状態で運動を止めてしまうと、人体の発熱量が低下するため、濡れた肌着は一気に冷たくなり、着用者に多大な不快感や悪感を与える上、着用者が体調を崩す原因になる。
【００７４】
そこで、機動性被服において、肌着、内衣、中衣及び外衣として特定のものを選び、これらを組合せることにより、汗等の水分をスムーズに外部へ発散し、発汗による不快感や悪感をなくし、着心地性を改善するとともに体温の低下を抑え保温性及び防寒性を発揮する必要がある。
【００７５】
具体的には、例えば肌着、内衣、中衣及び外衣の各々の層の衣服が以下の要件を満足する布帛から構成されるとよいが、これらの例示に限定されるものでは無い。
【００７６】
肌着の布帛：蒸発抵抗値が５（ｍ２・Ｋ／Ｗ）以下、熱抵抗値が０．０４〜０．０５（ｍ２・Ｋ／Ｗ）を保有し、皮膚から蒸散する不感蒸泄水分や発汗水分を移動させる編み地であって、生地の伸縮性εｍが２５％以上望ましくは３０％以上であり、曲げ剛さＢが０．０４（ｇｆｃｍ２／ｃｍ）以下であるパイル編地である。
【００７７】
内衣の布帛：羊毛やアクリレート系繊維などの親水性繊維からなる層を含み、蒸発抵抗値が５（ｍ２・Ｋ／Ｗ）以下、熱抵抗値が０．０４〜０．０５（ｍ２・Ｋ／Ｗ）を保有し、生地の伸縮性εｍが１４％以上であり、肌着より一桁大きい曲げ剛さＢが０．１〜０．４（ｇｆｃｍ２／ｃｍ）の保温と吸湿を兼ね備えた３層構造編地である。
【００７８】
中衣の布帛：熱抵抗値が０．１７〜２０（ｍ２・Ｋ／Ｗ）、蒸発抵抗値が１３（ｍ２・Ｋ／Ｗ）以下、生地の伸縮性εｍが９％以上であり、曲げ剛さＢが０．２〜０．９（ｇｆｃｍ２／ｃｍ）の表裏布帛と吸湿発熱繊維アクリレート系繊維を含む中綿層から構成される複合布帛である。
【００７９】
外衣の布帛：熱抵抗値が０．１９〜０．２０（ｍ２・Ｋ／Ｗ）、蒸発抵抗値が１３（ｍ２・Ｋ／Ｗ）以下、生地の伸縮性εｍが１％以上であり、曲げ剛さＢが０．５〜１．３（ｇｆｃｍ２／ｃｍ）の耐水度が１００ｋＰａ以上である表面が撥水加工された透湿防水加工布帛又はこの布帛を少なくとも表地として構成された複合布帛である。
【００８０】
肌着は図３に示すように一般に防寒用として適した長袖のもので、首廻り、袖口、ウエスト部及び足首等がゴム編組織あるいは絞り紐等により十分にフィットされる構造のものであればよい。肌着について、１３区分された階層別に、寸法を上衣については胸廻り、下衣については腰廻りを規定し、その数値から上衣の肩幅、裄丈、袖丈及び着丈を、一方、下衣は下衣のヒップ、股上及び股下寸法を既存のグレディング計算方式に準拠して決定し、以下の（表１）のような結果が得られた。
【００８１】
【表１】
2014031598.tif 000003
【００８２】
肌着に用いる生地の材料は前述したように熱抵抗値や蒸発抵抗値を発現するために繊維素材の工夫が必要である。皮膚面に液体状態の汗が残るとベトツキ感が大きくなり被服の滑り抵抗を著しく阻害するので、発汗時の液体状の汗を皮膚側から生地面に速やかに移動させ、移動面で拡散させ、速乾性を高める必要があり、気体状の汗が生地を透過し易くする必要がある。
【００８３】
具体的な例として十文字断面のポリエステル繊維をシンカーパイルのパイル糸として使用し、地糸には高フィラメント数・細繊度ポリエステル加工糸と熱伝導率の高いポリエステル／エバール芯鞘複合繊維を用いた格子パイル編み地が好適生地材料の一つである。なお、水分の移動性を考慮して親水化処理された生地が望ましい。該編地は、防寒用としての保温性を有している必要から見掛けクロー値（以下「Ｉｃｌｏ値」という）が０．６以上のものが選ばれる。ここでＩｃｌｏ値とは、着衣の保温性を示すものであるが、生地の特性を分かりやすく表現するために熱抵抗値から換算して表現されることがあるのでここに示した。測定法はＡＳＴＭ  Ｄ１５１８（Standard test method for thermal-transmittance of textile materials）で測定された熱抵抗値より換算した。生地表面の不動空気層がもたらす保温力を差し引いたこの材料の生地だけの熱抵抗値で示すと０．８３ｃｌｏであった。また不動空気層の保温力を加えると１．４ｃｌｏであった。
【００８４】
内衣は図４に示すように身体に無理なくフィットして、衣服の運動機能性を高めながら吸湿と保温性が維持できる構造になるように設計したものである。内衣について、１３区分された階層別に、寸法は上衣については胸廻り、下衣についてはウエストを本発明で規定し、その数値から上衣の肩幅、裄丈、袖丈及び着丈を、一方下衣のヒップ、股上及び股下寸法を既存のグレディング計算方式に準拠して決定し、以下の（表２）のような結果が得られた。
【００８５】
【表２】
2014031598.tif 000004
【００８６】
内衣に用いる生地の材料は前述したように熱抵抗値や蒸発抵抗値を発現するために繊維素材の工夫が必要である。３層構造のダブルフェイスニットは暖かい空気を糸内及び生地中間層へ閉じこめ保温性を高めると共に、アクリレート系繊維や羊毛の高い吸湿発熱機能によって保温性を高める構造となっている。この材料の生地だけの熱抵抗値で示すと０．７３ｃｌｏであった。また不動空気層の保温力を加えると１．３ｃｌｏであった。
【００８７】
中衣は図５に示すように高い保温性を維持しながら活動機能性を高めるため適切なゆとり量の確保を重視した構造である。中衣について、１３区分された階層別にその寸法は上衣については胸廻り、下衣についてはウエストを本発明で規定し、その数値から上衣の肩幅、裄丈、袖丈及び着丈を、一方下衣のヒップ、股上及び股下寸法を既存のグレディング計算方式に準拠して決定し、以下の（表３）のような結果が得られた。
【００８８】
【表３】
2014031598.tif 000005
【００８９】
中衣に用いる材料は中ワタキルトで作られ、肌側、外側ともトリコットのかさ高い編み地を用いて、膝や肘の動作時屈曲の大きい部位にストレッチ性のある保温性の高い側地とし、中綿に含むアクリレート系繊維によって、水蒸気の汗を吸湿して結露することなく、中綿の外側へ水蒸気圧差で外側に放湿することができる構造となっている。この材料の複合地だけの熱抵抗値で示すと１．４４ｃｌｏであった。また不動空気層の保温力を加えると２．０１ｃｌｏであった。
【００９０】
外衣は図６に示すように、高い防御性能と保温性能を持ちながら活動機能性を高めた人体寸法に合わせた適切なゆとり量の確保を重視した構造である。外衣について、１３区分された階層別にその寸法は上衣については胸廻り、下衣についてはウエストを本発明で規定し、その数値から上衣の肩幅、裄丈、袖丈及び着丈を、一方下衣のヒップ、股上及び股下寸法を既存のグレディング計算方式に準拠して決定し、以下の（表４）のような結果が得られた。
【００９１】
【表４】
2014031598.tif 000006
【００９２】
外衣の表地には高い難燃性と強度の大きい難燃性ビニロン混紡バーバリー組織の生地にポリテトラフロロエチレン（ＰＴＦＥ）の微多孔膜を貼り付けた加工布帛を用いることで、外部からの降雨雪防御、火炎防御や衝撃や摩擦損耗に耐える強靱性を保つ構造とし、断熱と保温・快適性の確保のために保温性ライナーの中綿としてアクリレート系繊維とポリエステル繊維の混紡とすることで吸湿放湿性能を付与した。この材料の複合地だけの熱抵抗値で示すと１．７８ｃｌｏであった。また不動空気層の保温力を加えると２．３５ｃｌｏであった。
【００９３】
本発明における外衣は、十分な防風性を有するとともに、透湿性と適度の防水、撥水性を有する加工布を少なくとも表地とした布地である。このような加工布は、例えばポリテトラフロロエチレン（ＰＴＦＥ）の微多孔膜や、ポリウレタンの湿式あるいは乾式凝固微多孔膜、その他延伸法や電子線法で微多孔化したミクロポーラスフィルム等を織物に貼合わせたもの、織物にポリウレタン溶液を塗布し湿式又は乾式凝固し、織物表面又は裏面に微多孔膜を形成したもので、さらに表面にフッ素系、シリコン系の撥水剤処理をしたものである。なお、表面の着色、撥水加工等により微多孔被膜の微多孔構造による蒸気透湿性が阻害されることがあるので、好ましくは、該微多孔被膜は織物の裏面に貼合わせたものが好適である。この加工布を少なくとも表地とした複合布帛とは、該加工布そのもの以外に、裏地と一体化したものあるいはさらに両布の間に中綿を入れたものをいう。
【００９４】
加工布は、防風性、防水性の面から、通気度が２（ｃｃ／ｃｍ２・ｓｅｃ）以下、耐水度が１００ｋＰａ（ＪＩＳ  Ｌ‐１０９２Ｂ法）以上のものが良い。さらに、該加工布は、皮膚面から肌着、内衣あるいはさらに中衣を通して移行してくる水分を最終的に外気中に放出するために、蒸発抵抗値が１３（ｍ２・Ｋ／Ｗ）以下であることが重要である。加えて、外衣構成布帛の表面は撥水加工されていることが必要で、この加工がなされていない場合には、低温下で外衣表面に水が付着し、場合によっては外衣内に侵入して氷結し、該布帛の透湿性を妨げることになる。また、該外衣用加工布は、難燃性を有していることが必要であり、生地の難燃性能の表示には燃焼限界酸素指数ＬＯＩ値（ＪＩＳ  Ｌ−１０９１Ｅ）が良く用いられる。各種燃焼試験の結果、外衣用生地のＬＯＩ値は２６以上が不可欠であった。そのために公知の難燃性繊維を主体として生地を構成する場合、或いは表面に公知の難燃加工が施される場合もあるが、特に難燃性繊維からなる生地を用いることは、難燃樹脂加工による布帛の重量増加、通気性及び透湿性の低下を防ぐことができるので有効である。さらに必要によりこの外衣は、可視光、赤外線及び紫外線等に対する各種の迷彩や偽装加工が施されてもよい。尚、外衣は必ずしも一層である必要はなく、例えば、偽装を目的とした衣服を外衣とは別に準備することができる。具体的には、複数の迷彩又は偽装が求められるとき、外衣に準じて、可視光線、赤外線偽装加工を行ない、紫外線偽装加工を施した偽装外衣を別途準備すればよい。さらに、本発明では、肌着から外衣までの組合せにおいて、各層の衣服を構成する布帛又は複合布帛の蒸発抵抗値がそれぞれの内側の生地等の蒸発抵抗値比べて極端に大きくないことが望まれ、外側の被服を構成する生地の蒸発抵抗値が内側の被服を構成する生地の蒸発抵抗値が３倍以下、好ましくは２．５倍以下になるように組み合わされるとよい。
【００９５】
なお、本発明の機動性被服は、防寒性の点から各層を構成する布畠の見掛けのＩｃｌｏ値の総和が２以上であることが望まれる。この場合、軽労働時で外気温−５℃、風速１ｍ／ｓｅｃ程度の環境に対応できるが、例えば軽作業時で外気温−２０℃程度、風速１ｍ２／ｓｅｃ程度の環境に耐えるものを想定すれば、Ｉｃｌｏ値の総和は３以上、運動を行わないときは５以上が必要となる。
【００９６】
本発明においては、以上のようなものに加えて保温用の手袋、靴下、面覆及び足首巻等をセットとして準備することができる。
【００９７】
以下のようなＡ〜Ｏの生地により、肌着、内衣、中衣及び外衣を作製し、各生地の伸縮、曲げ剛さＢ、熱抵抗及び蒸発抵抗をそれぞれ測定した。
【００９８】
＜実施例＞
イ．肌着（図３）
Ａ：十文字断面のポリエステル繊維をシンカーパイルのパイル糸として使用し、地糸には高フィラメント数・細繊度ポリエステル加工糸と熱伝導率の高いポリエステル／エバール芯鞘複合繊維を用いた格子パイル編み地で、吸汗性を備えたフィラメント糸からなる格子パイル。
Ｂ：ＳＲ１０００（高松油脂）を０．５質量％付着したポリエステル繊維紡績糸からなる３層パイル緯編地（パイル面起毛）。
【００９９】
【表５】
2014031598.tif 000007
【０１００】
ロ．内衣（図４）
Ｃ：肌側と外側がウール６２％吸湿発熱繊維アクリレート繊維１５％ポリエステル２３％の特殊混繊糸とし中間ポリエステルフィラメント糸からなる３層構造緯編地。
Ｄ：ウール／ポリエステル／ウールの３層構造緯編地（ウール７０質量％、ポリエステル繊維３０％）。
【０１０１】
【表６】
2014031598.tif 000008
【０１０２】
ハ．中衣（図５）
Ｅ：側地がポリエステル繊維１００％のトリコットハーフ、中綿ポリエステル６０％／吸湿発熱アクリレート繊維ウェブを中綿とした複合布帛。
Ｆ：ポリエステル繊維経編地を表裏地に用い、ポリエステル／リヨセル／ポリエステルの３層ウェブを中綿とした複合布帛。
【０１０３】
【表７】
2014031598.tif 000009
【０１０４】
ニ、外衣（図６）
Ｇ：＜表地＞難燃性ビニロン７０質量％と綿３０質量％からなる織物（バーバリー）の裏縞に、ＰＦＴＥフィルム（ゴアテックス社）を貼り合わせ、表面に迷彩色をプリントし、さらにフッ素系樹脂で撥水加工した透湿防水加工布。
＜裏地＞ポリエステル繊維織物（タフタ）。
Ｈ：＜表地＞難燃性ビニロン７０質量％と綿３０質量％からなる織物（１／１平織）の裏縞に、ＰＦＴＥフィルム（ゴアテックス社）を貼り合わせ、表面に迷彩色をプリントし、さらにフッ素系樹脂で撥水加工した透湿防水加工布。
【０１０５】
＜裏地＞ポリエステル繊維織物（タフタ）。
【０１０６】
【表８】
2014031598.tif 000010
【０１０７】
ホ、保温性ライナー（外衣用、図７）
Ｉ：側地がポリエステル繊維１００％のトリコット、中綿がポリエステル繊維と吸湿発熱アクリレート繊維４０％の混綿複合布帛。
Ｊ：側地がナイロン１００％のトリコット、中綿がポリエステル繊維の複合布帛。
【０１０８】
【表９】
2014031598.tif 000011
【０１０９】
＜比較例＞
イ、肌着（図３と同様の外観）
Ｋ：木綿８０％、ナイロン１５％、スパンデックス５％カバーヤーン糸のインターロック緯編地。
ロ、内衣（図４と同様の外観）
Ｌ：ポリアクリルニトリル繊維３０質量％と綿７０質量％との混紡糸からなる裏パイル編地。
ハ．中衣（図５と同様の外観）
Ｍ：ポリアクリルニトリル繊維７５質量％、ナイロン１５質量％及びウール１０質量％の混紡糸からなる両面立毛緯編地。
ニ、外衣（図６と同様の外観）
Ｎ：＜表地＞難燃性メタアラミド繊維８０質量％と綿２０質量％からなる織物（３／１綾織）の裏縞に、ＰＦＴＥフィルム（ゴアテックス社）を貼り合わせ、さらにフッ素系樹脂で撥水加工した透湿防水加工布。
＜裏地＞ポリエステル繊維織物（１／１平織）
ホ、保温性ライナー（外衣用、図７と同様の外観）
Ｏ：難燃性モダアクリル系繊維１００％のボア複合布。
【０１１０】
【表１０】
2014031598.tif 000012
【０１１１】
上記各層の衣服を（表１１）の組合せにより体型区分ＬＡのケースで各層衣服の寸法は（表１）〜（表４）に示すサイズ防寒被服セットを作製して組み合わせ、３種の着用比較試験（被験者１０名）を行なった。ただし比較例の肌着は伸縮性の大きいストレッチ生地の特性上、股上、股下以外のサイズを設定値の３０％減のサイズとした。その結果を（表１２）に示す。
【０１１２】
【表１１】
2014031598.tif 000013
【０１１３】
【表１２】
2014031598.tif 000014
【０１１４】
（ただし、運動は穏やかな丘陵地における連続スキー歩行で、人体発熱量は１７０〜２８０ｋｃａｌ／ｍ２／ｈ、発汗量は１００〜３００ｇ／ｍ２／ｈ程度である。尚、数値は被験者１０人の平均である。）
【０１１５】
比較例に用いた肌着のタイト感は着用初期には快適と感じたが８時間経過すると疲労を感じた。実施例組み合わせＮｏ．１に比べて比較例のセットは重たくかさばって、保温断熱は良いが運動性に欠陥を感じた感想が多い結果となった。
【０１１６】
ゆとり量の上限と下限を把握するため各１３区分の体型で設定されている細身Ａ体、太身のＢ体の衣服には、胸廻り寸法下限値、腰廻り下限値を各２ｃｍ小さく採ってその下限値以下の寸法で実施例１の生地組み合わせで４層からなる機動性被服を縫製した。一方太Ｌ体、肥満ＬＬ体には胸廻り寸法上限値、腰廻り上限値を各２ｃｍ大きく採って実施例１の生地組み合わせで各体型の４層からなる機動性被服を作製した。それら各区分の平均身長と胸囲を有する男子に着用試験評価を行い、着心地のアンケート調査を行った。それらの結果の要約を（表１３）に示す。
○：優れる  △：我慢できる範囲だが改善要求  ×：運動や作業性に不満
【０１１７】
【表１３】
2014031598.tif 000015
【０１１８】
標準体型に近いＡ体、Ｂ体の４層からなる機動性被服では本発明の寸法を採用することで機動性被服の運動機能性・作業性を満足し、被服と人体の適合性にミスマッチが少ないことが分かった。太Ｌ体や肥満ＬＬ体の一部に不適合が見られたのは腰廻りから算出したヒップを中心より少し大きめの方が良かったとの評価であった。一方Ａ体、Ｂ体は下限値より胸廻りや腰廻りを細く設定したため、伸縮性の少ない外衣で窮屈さを感じさせ、運動性及び作業性に不満が認められた。太Ｌ体や肥満ＬＬ体の場合には、上限値より少し大きめでは運動性及び作業性の不満は少ないようだが、体型の肥満を感じさせる見栄えとなって、不適合とする意見もあった。
【０１１９】
以上のように、本発明に係る機動性被服は、上記のように特定の条件を満足する肌着−
内衣−中衣−外衣の組合せからなる重ね着する衣服のセットであり、多数の人員の集団の実着用に際して実着用者体格の不一致率を大きく低減し、高い保温性と作業活動性とを兼ね備え、優れた防寒性能と運動機能性とを有する比較的安価な機動性被服を多数の利用者に向けて提供することができる。
【０１２０】
また、本発明に係る機動性被服はそれぞれの層が十分な保温性を有し、外衣は防風性に優れているので十分な防寒性を発揮する。さらに各層の生地の伸縮性と曲げ剛さを制御し、各層のゆとり量も計算して設計しているので、寒冷地や極寒地で機動性被服を着用した場合に、作業中や長時間着用後にも疲れを生じ難いことが、アンケート調査で見出された。本発明に係る機動性被服は、通常は、肌着−内衣−中衣−外衣、又は肌着−内衣−中衣−外衣−偽装外衣の組み合せとして着用され、環境あるいは運動状態により、中衣、保温性ライナー等を適宜除いて着用することができ、運動機能性に優れた機動性被服として幅広い効果が見出された。
【符号の説明】
【０１２１】
１０    肌着
２０    内衣
３０    中衣
４０    外衣
４１    保温性ライナー
【図３】
2014031598.tif 000016
【図４】
2014031598.tif 000017
【図５】
2014031598.tif 000018
【図６】
2014031598.tif 000019
【図７】
2014031598.tif 000020
【図１】
2014031598.tif 000021
【図２】
2014031598.tif 000022